Podtech/llm-jp-corpus-v4-ja_patent huggingface dataset:
(57)【要約】【課題】  車のハンドルやスコップの柄を握るとき、また、ペンや筆等で文字や絵をかくとき、同時に、手や指のつぼ刺激する。【解決の手段】切れ込みを介してハンドルを咥えたフレッキシブルな１０センチメートルほどの管の表面に突起を設けることで、ハンドルを操作するたびに、同時につぼの刺激を得ることができる。【選択図】図２
0003121448.tif 000002
【実用新案登録請求の範囲】
【請求項１】
手のひらで握って操作する道具として、車のハンドルやスコップの柄等があるが、その部位に着脱容易になるようなスリットを施したフレキシブルな管の表面に突起を配した手のひらつぼ刺激器。
【請求項２】
手の指ではさんで操作する道具として、ペンや箸等がある。指がはさむ位置に突起を設け、その突起による指つぼ刺激器。
【考案の詳細な説明】
【技術分野】
【０００１】  本考案は、手のひらや指を用いて操作する動作と同時にその部位のつぼを刺激する道具に関する。
【背景技術】
【０００２】  従来、手のひらや指を使って操作するときは、その操作で主目的を達成する構造のみを備えた道具に限られており、主目的を達成すると同時に、その部位のつぼを刺激する道具はなかった。
【考案の解決しようとする課題】
【０００３】  車のハンドルを操作しているとき、スコップの柄を握って土を掘っているとき、あるいは、ペンで文字を書いているとき、同時に、手や指のつぼを刺激することができる。
【課題を解決する手段】
【０００４】  そこで、車のハンドルやスコップの柄に、図１、図２のような突起のあるつぼ刺激器をアタッチメント型で付加することで、また、図４のように製造の段階でペンのグリップに小さな突起を施すことで、本来の操作と同時につぼの刺激ができる。
【考案の効果】
【０００５】よって、手や指で、本来の目的を達成しようと操作しているときに、同時に、その部位のつぼを刺激することができる。刺激を中断したいときは、突起のない部位に手や指をずらせばいい。
【考案を実施するための最良の形態】
【０００６】  本考案によるつぼ刺激器は、車等のハンドルに利用する場合、図１のように、ゴムホースのようなフレッキシブルな直径約３，５センチメートル、長さ１０センチメートルほどの管１の側面に切込み２を１箇所縦に入れ、表面には直径３ミリから７ミリメートル、高さ３ミリから１０ミリメートル、頂点を丸くした円筒状の突起３を数個固定したアタッチメント型のつぼ刺激器である。切り込み２の部分を開いて、ハンドル４等に装着する。装着後は、管１の持つ弾力性がハンドルとの一体性をもたらす。
ペン等に利用する場合は、図３のように、ペン５を指ではさむ部位に、製造の段階で、高さ３から５ミリメートル、直径約３ミリメートルの円筒状の１〜３個の小さな突起６を施すか、同部位に嵌められる滑り止め用のゴム状の管７の表面に、同様な突起を施してもいい。
【図面の簡単な説明】
【０００７】
【図１】車のハンドル等に付加するつぼ刺激器である。
【図２】車のハンドルに本考案のつぼ刺激器を付加した平面図である。
【図３】従来の車のハンドルの平面図である。
【図４】本考案によるつぼ刺激器をペンに付加した平面図である。
【図５】従来のペンの平面図である。
【符号の説明】
１：つぼ刺激の突起３を支える管
２：管１をハンドル４に咥えさせるため管１にも設けられた切り込み
３：つぼ刺激のため管１の表面に設けられた突起
４：車のハンドル
５：ペン
６：ペンを指ではさむときの部位に設けられた突起
７：ペンを指ではさむ部位に設けられた滑り止め用の管
【図１】
0003121448.tif 000003
【図２】
0003121448.tif 000004
【図３】
0003121448.tif 000005
【図４】
0003121448.tif 000006
【図５】
0003121448.tif 000007
【手続補正書】
【提出日】平成18年1月24日(2006.1.24)
【手続補正１】
【補正対象書類名】実用新案登録請求の範囲
【補正対象項目名】請求項２
【補正方法】変更
【補正の内容】
【請求項２】
ペンや箸等の指が挟む位置に小さな突起を設け、その突起による指つぼ刺激器。
(57)【要約】      （修正有）【課題】移動して容易に組立−解体を行うことができ、利用者が気軽に天然の温泉を体験してその効果や雰囲気を味わうことができる温泉設備を提供する。【解決手段】浴槽10と温水循環ユニット20からなり、該温水循環ユニット20は浴槽内の温水を循環させる温水ポンプ22、該循環経路中に設けられた温水温度制御用の加熱手段24、ヘアキャッチャー25及び消毒設備が可動台上に取り付けられていることを特徴とする可搬式入浴設備。【選択図】図１
0003121496.tif 000002
【実用新案登録請求の範囲】
【請求項１】
浴槽と温水循環ユニットからなり、該温水循環ユニットは浴槽内の温水を循環させる温水ポンプ、該循環経路中に設けられた温水温度制御用の加熱手段、濾過器及び消毒設備が可動台上に取り付けられていることを特徴とする可搬式入浴設備。
【請求項２】
温泉水搬送タンクが温水循環ユニットと同一又は別個の可動台に搭載され、温水循環ユニットと並列に浴槽と連結されている請求項１の可搬式入浴設備。
【請求項３】
浴槽、温水循環ユニット及び温泉水搬送タンクが解体可能な化粧パネルにより包囲されている請求項１又は２の可搬式入浴設備。
【考案の詳細な説明】
【技術分野】
【０００１】
本考案は可搬式の入浴設備に関する。本考案の可搬式入浴設備は他の場所に容易に移動することができ、現地で組立てて健康的な温泉を手軽に楽しむことができる。この入浴設備は、温水の温度保持及び浄化をはかりつつ循環を行う温水ユニットと入浴用の浴槽からなる。
【背景技術】
【０００２】
温泉は療養、保養のため古くより親しまれている。日本書紀には天皇の入湯記録もあり、「伊予の湯」道後温泉、「牟婁の湯」白浜温泉、「有間の湯」有馬温泉は「日本三古湯」と呼ばれる。仏教伝来以降、温泉は布教と関連し僧侶とのかかわりが強く治療目的の湯治として普及した。また貴族層の遊興ともなった。湯治効果を高く評価する戦国武将は多く、太閤豊臣秀吉は有馬温泉の根本的な改修工事を行って今日にいたる有馬温泉の基を築いた。
【０００３】
天然温泉は地中内部から湧出する温度の高い鉱泉であり様々な成分を含んでおり、その成分の違いによって効果や外見が異なる。ちなみに有馬温泉では金泉、銀泉と呼ばれる色の異なる泉源がある。このような温泉、特に著名な温泉が一般に都心に存在することはなく、利用者は入湯にあたり多少とも足を運ぶ必要がある。
【考案の開示】
【考案が解決しようとする課題】
【０００４】
本考案は利用者が気軽に天然の温泉を利用でき、温泉の効果や雰囲気を味わうことができる運搬移動可能な温泉設備に関する。本考案の装置は、移動先にて容易に組み立て及び解体を行うことができ、仮設の温泉として提供できると共に各種イベントに併設して宣伝効果を期待することができる。
【課題を解決するための手段】
【０００５】
本考案は浴槽10と温水循環ユニット20からなり、該温水循環ユニット20は浴槽内の温水を循環させる温水ポンプ22、該循環経路中に設けられた温水温度制御用の加熱手段24、ヘアキャッチャー(濾過器)25及び消毒設備が可動台上に取り付けられていることを特徴とする可搬式入浴設備を提供するものである。本考案の入浴設備は、温泉水搬送タンクが温水循環ユニットと同一又は別個の可動台に搭載され、温水循環ユニットと並列に浴槽と連結されているのが好ましい。また、浴槽、温水循環ユニット及び温泉水搬送タンクが解体可能な化粧パネルにより包囲されているのがよい。
【考案を実施するための最良の形態】
【０００６】
以下に本考案を図面に基づき実施例により詳細に説明する。実施例は本考案を単に説明するためのものであり何ら本考案を制限するものではない。図１は腰掛けて足を浸け入浴装置「足湯」の形態とした可搬式の入浴設備である。
【０００７】
本考案の可搬式の入浴設備は、浴槽10と温水循環ユニット20とからなる。浴槽10は上部が開放された平面長方形の箱形浴槽である。温水循環ユニット20は可動台である台車(図示せず)の上に一体に取り付けた温水ポンプ22、温度制御用の加熱手段24、ヘアキャッチャー25及び消毒装置からなる。
【０００８】
図１の浴槽10は利用客が腰掛けて温泉湯に足を浸す「足湯」の浴槽(1800×700mm,320L)である。温水ポンプ22は浴槽の温水(温泉水)の循環を行う。すなわち、浴槽10の排出口より出た温水は、温水ポンプ22にて昇圧され加熱手段24に送られる。加熱手段24としては種々の温水加熱装置が用いられてよいが搬送性の面から電気式の温水昇温機を用いるのがよい。加熱は温水の実温度及び設定温度に基づき制御される。加熱手段24より排出された温水はつぎに温水の濾過を行うヘアキャッチャー25により髪の毛、異物などが除去されたあと、再び浴槽10へ送られ循環する。なお、浴槽10と温水ポンプ22との間には薬剤注入ポンプ27により適宜の殺菌剤などの薬剤28を注入する消毒設備を設け循環温水の浄化を行う。なお、泉源の温泉水を貯留した温泉水運搬タンク30は、温水循環ユニット20を載せた前記台車と同一又は別個の台車上に載せ温水循環ユニット20と並列に浴槽10に連結される。また、設置先の設備を考慮し本考案入浴設備には発電装置も付設するのが好ましい。
【０００９】
(可搬式入浴設備の設置)
図２は本考案の可搬式入浴設備を組み立てたところを示す斜視図である。本考案の入浴設備は容易に設置することができる。まず安定のためゴムマットを敷いた上に浴槽10を置く。浴槽の温水排出口、導入口の各々を温泉水運搬タンク30ならびに温水ポンプ22、ヘアキャッチャー25及び薬剤注入ポンプ27等を含む温水循環ユニットとホースによりつなぐ。ついで温水循環ユニット及び温泉水運搬タンク30の周囲を化粧パネルで囲むと共に前記浴槽10の側面に簀の子床を設けて利用客の座席とし温泉設備の組立を完了する。
【産業上の利用可能性】
【００１０】
本考案の入浴設備は組立・解体が容易で、運搬して移動先で簡単に設置することができる。このため、様々な場所で利用者が気軽に天然の温泉を体験してその効果や雰囲気を味わうことができる。この装置は仮設の温泉として営業できると共に各種イベントに設置し宣伝効果が期待できる。
【図面の簡単な説明】
【００１１】
【図１】本考案の可搬式入浴設備の概略図である。
【図２】本考案の可搬式入浴設備を組み立てたところを示す斜視図である。
【符号の説明】
【００１２】
１０…浴槽          ２０…温水循環ユニット    ２２…温水ポンプ
２４…加熱手段      ２５…ヘアキャッチャー    ２７…薬剤注入ポンプ
２８…薬剤          ３０…温泉水運搬タンク        
【図１】
0003121496.tif 000003
【図２】
0003121496.tif 000004
(57)【要約】【課題】        本考案は貼ったり剥がしたりが可能な軟粘着のシール本体にスキミング防止フィルムを一体成型し携帯電話のデータをスキミングから防止し、盗難などの不安から安全に携帯、あるいは持ち運びさせるシールを提供する事。【解決手段】    本考案は繊維等の適宣素材パット本体１と軟粘着のシール部３の間ににスキミング防止フィルムを貼り付け加工し一体成型した事により当該シールをおサイフケータイとと言われている携帯電話端末のデータ交換の場所に貼る事によりデータの盗難を防ぐ事ができる。【選択図】図２
0003121453.tif 000002
【実用新案登録請求の範囲】
【請求項１】
携帯電話等の電子機器などに貼れるシールにおいて繊維などの敵宣素材で成型したパッドと軟粘着のシール素材の間にスキミング防止フィルムを貼り付け加工し、一体成型したシールを携帯電話端末などの電子機器の非接触型のデータ交換の場所に貼る事でスキミングと言われるデータの盗難から保護できるシール。
【考案の詳細な説明】
【技術分野】
【０００１】  本考案はシール、特に携帯電話機などの携帯用電子機器に関する。
【背景技術】
【０００２】  近年、スキミングと言われるデータを盗む被害が急増しており、携帯電話の分野においても、おサイフケータイなどと言われる携帯電話自体におサイフの機能が付いた商品が発売されておりスキミングの被害が予想されている。
また、携帯電話などに貼れるシールにおいては各社工夫を凝らした商品はあるがスキミングを、防止できるシールはなかった。
【考案の開示】
【考案が解決しようとする課題】
【０００３】  近年急増するスキミングの被害は各方面で深刻な被害になっており、携帯電話の分野においてもおサイフケータイなどと言われる携帯電話の機能で、簡単に支払いの決済ができるこのシステムは支払いの簡単さゆえに今後急激に普及すると思われる。しかしその簡便さゆえに非接触でもデータのスキミングが可能であり、常にそのスキミングの被害を心配するために、安心してその携帯電話をおサイフ代わりに持つ事ができない人達もいる。その不安感などを取り除く為や、被害に合わない為の防止策を考えるものである。
【課題を解決するための手段】
【０００４】  本考案は、上述の課題を解決する為に、携帯電話機などの電子機器に自由に貼れるシールにおいて、スキミングを防止する為のデータシールド素材をシール状に加工し、そのシール自体をおサイフケータイと言われる携帯電話端末のデータ交換をする部分に貼る事で、普段の携帯電話の持ち運び時にスキミングの被害を防止する事ができる。
【考案実施の形態】
【０００５】  スキミング防止のデータシールド素材をシール状に加工し、シールの粘着部においては、貼ったり、剥がしたりが自由に出来、しかも粘着の度合いが落ちない軟粘着と言われるシールとする。そのシールをおサイフケータイと言われる携帯電話端末のデータ交換をする部分に貼る事で普段の持ち運び時においてはデータのスキミングを防止し、おサイフケータイの機能を使用したい場合はそのシールを剥がして使用する事が可能であり、軟粘着のシールであるので使用が終了した場合は再度シールを貼る事でスキミング防止となり、利便性も確保している。
【実施例】
【０００６】  以下、添付図面に従って一実施例を説明する。１は耐久性の繊維等適宣素材にて成型されたパット状シール本体、２は軟粘着のシール部。３はスキミングを防止する素材で、このスキミングを防止する素材を繊維状のパットと軟粘着シールの間に貼り付け加工し、一体成型する事で、一つのシールとする。【０００７】  本考案の一実施例は上術の如き構成からなるものであるから、スキミング防止素材をシール状に一体成型し、おサイフケータイと言われる携帯電話端末のデータ交換される場所に貼る事によりスキミングと言われるデータの盗難から守る事が出来、また当該シールを剥がす事でおサイフケータイと言われる機能の電子決済が可能となる。【０００８】  以上、詳細の本考案によるスキミング防止素材でのシール実施の形態を説明したが、ここで説明した実施の形態は本考案を説明するものであって、本考案は必ずしもこれに限定されるものではなく、本考案の精神を逸脱することなく当業者が可能な変形または修正は本考案の範疇に含まれる。
【考案の効果】
【０００９】  上述の様に、本考案のスキミング防止シールはおサイフケータイと言われる電子決済機能付き携帯電話端末の普段の持ち運び時にスキミングと言われるデータの盗難から守る事ができる為、安心して持ち運ぶ事が出来、またこの電子決済機能を使用したい場合はスキミング防止シールを剥がす事でその機能を使用したい時にいつでも使用が可能になる。
【図面の簡単な説明】
【００１０】
【図１】  本考案のシールの正面図である。
【図２】  本考案の一部切欠断面図である。
【符号の説明】
【００１１】  １  シールバッド本体
２  軟粘着のシール部
３  スキミング防止フィルム
【図１】
0003121453.tif 000003
【図２】
0003121453.tif 000004
(57)【要約】【課題】  本考案は、剪定バサミに指ズレ防止用のストッパーを設け、容易なる剪定が出来る、剪定バサミにする。【解決手段】  本考案は、２枚の刃板を重合し、重合基部を枢着軸で枢着し、この刃板に連設された握持柄間に拡張スプリングを設けた剪定バサミにおいて、この握持柄の枢着軸寄り外側に親指及び人差し指と中指の中間に位置するストッパーを設けた事を特徴とする剪定バサミの握持柄装置で、以前に考案された、人差し指が当たるストッパーは枢着軸側にあり握持柄の固定が不安定であった。この不安定を解決すべく、ストッパーを人差し指と中指の中間に設置し、握持柄の固定が安定し、容易なる剪定が可能になり、前述の問題点を解決した。【選択図】図１
0003121458.tif 000002
【実用新案登録請求の範囲】
【請求項１】
２枚の刃板を重合し、重合基部を枢着軸で枢着し、この刃板に連設された握持柄間に拡張スプリングを設けた剪定バサミにおいて、この握持柄の枢着軸側寄りに親指及び人差し指と中指の中間に位置するストッパーを設けた事を特徴とする剪定バサミの握持柄装置。
【考案の詳細な説明】
【技術分野】
【０００１】  本考案は、剪定バサミに指ズレ防止用のストッパーを設け、容易なる剪定が出来る、剪定バサミに関するものである。
【技術背景】
【０００２】  以前に考案された、剪定バサミの握持柄装置のストッパーは、枢着軸側に親指と人差し指とが当たるストッパーを設けたもので、指の固定ができず剪定が困難であった。
【考案の開示】
【考案が解決しようとする課題】
【０００３】  以前に考案された、人差し指が当たるストッパーは枢着軸側にあり握持柄の固定が不安定であった。この不安定を解決すべく、ストッパーを人差し指と中指の中間に設置し、握持柄の固定が安定し、容易なる剪定が可能になり前述の欠点を解決しようとするものである。
【課題を解決するための手段】
【０００４】  本考案は、２枚の刃板を重合し、重合基部を枢着軸で枢着し、この刃板に連設された握持柄間に拡張スプリングを設けた剪定バサミにおいて、この握持柄の枢着軸側寄りに親指及び人差し指と中指の中間に位置するストッパーを設けた事を特徴とする剪定バサミの握持柄装置で、以前に考案された、人差し指が当たるストッパーは枢着軸側にあり握持柄の固定が不安定であった。この不安定を解決すべく、ストッパーを人差し指と中指の中間に設置し、握持柄の固定が安定し、容易なる剪定が可能になり、前述の問題点を解決している。
【考案の効果】
【０００５】  上述の様に、本考案の剪定バサミの握持柄装置は、以前に考案された、人差し指が当たるストッパーは枢着軸側にあり握持柄の固定が不安定であった。この不安定を解決すべく、ストッパーを人差し指と中指の中間に設置し、握持柄の固定が安定し、容易なる剪定が可能になり前述の欠点を解決しようとするものである。
【考案の実施するための最良の形態】
【０００６】  剪定バサミの握持柄装置のストッパーを人差し指と中指の中間に設置し、握持柄の固定が安定し、容易なる剪定が可能になり前述の欠点を解決しようとするものである。
【実施例】
【０００７】  以下、添付図面に従って一実施例を説明する。１は刃板、２は刃板受け、３は枢着軸、４は拡張スプリング、５は親指ストッパーで枢着軸の方へずれない様にしている、６は人差し指と中か指の固定ストッパーで指が前後にずれない様にしている、７は親指握持柄、８は人差し指と中か指と薬指と小指の握持柄。
【図面の簡単な説明】
【００１０】
【図１】本考案の剪定バサミの握持柄装置の一実施例を示す正面図である。
【符号の説明】
【００１１】１  刃板
２  刃板受け
３  枢着軸
４  拡張スプリング
５  親指ストッパー
６  人差し指と中か指の固定ストッパー
７  親指握持柄
８  人差し指と中か指と薬指と小指の握持柄
【図１】
0003121458.tif 000003
(57)【要約】      （修正有）【課題】車対人又は軽車両に乗車の人との事故で対人の生命を守る又は受傷を軽減する。【解決手段】自動車のフロントガラスの前面にエアーバックを設置する。【選択図】図１
0003121454.tif 000002
【実用新案登録請求の範囲】
【請求項１】
自動車のフロントガラスの前面に設置するエアーバック
【考案の詳細な説明】
【考案の詳細な説明】
この考案はエアーバックをフロントガラス前面に設置したものである。
従来エアーバックは車内に有り、事故の際乗車人員の生命を守る為に設置されていた。
しかし、車対人又は車対軽車両に乗車の人との事故の場合、車側には対人の生命を守る又は受傷を軽減する為の装置は設置されていない。
多数の受傷者が車のボンネットに跳ね上げられて、フロントガラスに上半身（特に頭部）を強打し受傷していた。これを防ぐ為にフロントガラス前面に、対人又は軽車両乗車の人との衝突時に展開するエアーバックを設置する。
当然エアーバック作動の為のコントロールユニットとセンサーは必要である。
【図面の簡単な説明】
【図１】本案の作動時上面図
【図２】本案の作動時側面図
【図１】
0003121454.tif 000003
【図２】
0003121454.tif 000004
(57)【要約】      （修正有）【課題】密封可能な袋を簡単に開ける方法を提供する。【解決手段】袋の上端の形状を左右で異なる形にすることにより簡単に開けることができるようにする。【選択図】図１
0003121460.tif 000002
【実用新案登録請求の範囲】
【請求項１】
開口部上端の手前側と奥側を異なる形状にした袋
【請求項２】
請求項１に述べた袋において手前側と奥側の異なる位置に突出部をつけた袋
【請求項３】
請求項１に述べた袋において手前側と奥側の異なる位置にくぼみをつけた袋
【請求項４】
請求項２に述べた袋において手前側と奥側の突出部に色を付けた袋
【請求項５】
請求項３に述べた袋において手前側のくぼみに対応する奥側の位置と、奥側のくぼみに対応する手前側の位置に色を付けた袋
【考案の詳細な説明】
【技術分野】
【０００１】本発明は密封可能な袋を開けるための形状に関するものである。
【背景技術】
【０００２】図２は従来の密封可能なビニール袋の一例である。１はビニール袋全体、２と３はそれぞれ袋の手前側と奥側の開口部である。４、５、６は密封するための突起で、４と５の間に突起６が挟まることによって袋が密封される。密封状態では突起４と５の間に突起６が挟まっている。この状態で袋の上端２と３を指でつまんで袋を開ける場合、密封用の突起と袋の上端までの長さＬが短いと、上端をつまみにくく開けるのに不便であった。
【考案の開示】
【考案が解決しようとする課題】
【０００３】密封可能な袋は開封する場合ある程度の力が必要である。しかし、開口部分が小さいと指でつまみにくく開けるのに手間取ることが多い。本発明はこのような密封可能な袋を簡単に開ける方法を提供する。
【課題を解決するための手段】
【０００４】本発明は袋の手前側上端と奥側上端とを異なる形状にすることにより簡単に開けることができるようにするものである。【０００５】第１図は本発明の第１の実施例である。図中の２ａと３ａは開口部分のつまみである。袋の上端のこのようなつまみを掴んで引っ張ることによって簡単に袋を開けることができる。【０００６】図３は本発明の第２の実施例である。この例では袋の手前側の上端と奥側の上端との異なる位置にくぼみ２ｂと３ｂを作ることによって開ける操作を簡単にするものである。【０００７】図４は本発明の第３の実施例である。この例では袋は最初上端部７で密封されており、更に４，５，６とでも密封されている。手前側と奥側にそれぞれ切り取り線２ｃと３ｃがミシン目として作られている。開封する場合は切り取り線２ｃと３ｃに添って袋を切ると図１のような構造になる。【０００８】図１のつまみ２ａと３ａに異なる色をつけてわかりやすくすることも本発明の有効性を増す方法である。
【考案の効果】
【０００９】本発明を用いることにより密封状態の袋を簡単に開けることができる。
【考案を実施するための最良の形態】
【００１０】本発明を実施するための最良の形態は図４に示すように、切り取り線２ｃ、３ｃと密封機構４，５，６との垂直距離が短いような袋である。袋全体の縦の長さをできるだけ短くしたまま、開けるのに力が必要な袋である。
【実施例】
【００１１】本発明の実施例は図１、図３、図４に示す。
【産業上の利用可能性】
【００１２】本発明は湿度を保つことや、乾燥状態を保つことが必要な食料品を保存する袋を開ける方法として有効である。
【図面の簡単な説明】
【図１】本発明の第１の実施例である。
【図２】従来の密封可能な袋の構造を説明する図である。
【図３】本発明の第２の実施例である。
【図４】本発明の第３の実施例である。
【図１】
0003121460.tif 000003
【図２】
0003121460.tif 000004
【図３】
0003121460.tif 000005
【図４】
0003121460.tif 000006
(57)【要約】      （修正有）【課題】本来あるべき節々を備える事により、より天然矢竹に近い人造矢竹を造り、弓道鍛錬の一助となる日本弓道用人造矢竹の提供。【解決手段】（１）硬化性パテを箍状に盛付け  それが硬化後  表面硬強度が高い塗料を施す。（２）箍状のリングをはめ  それを覆う様に熱収縮チューブを被せ加熱固定する。【選択図】図１
0003121466.tif 000002
【実用新案登録請求の範囲】
【請求項１】
アルミ管などへコクソ漆などで節を設えた人造矢竹。
【請求項２】
アルミ管などへはめた箍状物と  それを固定する収縮チューブにより成る人造矢竹。
【考案の詳細な説明】
【技術分野】
【０００１】  本考案は、日本弓道用人造矢竹に  本来在るべき節々を備える事により、より天然矢竹に近い人造矢竹を造り、弓道鍛錬の一助と成る事を願うものである。
【背景技術】
【０００２】  従来人造矢竹は  一文字そのままに  鏃から筈まで  全く真っ直ぐ  等径で、的中率のみ考えれば  最適かも知れないが、所作や  矢番え、引き分け、会に至る行射での  動作の節々を知る触標が無い事は  やはり不都合な事である。【０００３】竹矢の材料である天然の矢竹も  節々の位置が揃い難く、いっそ無い事を好む人も居るが、やはり在るのが本来だから、各自が保有する矢は  スパイン毎同一の位置に節が在る事が望ましいが、心得て望めば  それは可能な事である。
【考案の開示】
【考案が解決しようとする課題】
【０００４】  元来等径で真っ直ぐな人造矢竹に  必要にして充分な強度の節を後加工で設し、それが矢竹の性能を損ねる事は許されない
【課題を解決するための手段】
【０００５】  そこで本考案では、竹矢所定の四位置へ  コクソ漆など硬化性パテを盛付けそれが硬化後  表面硬・強度が高い塗料を施し  恰も天然矢竹の如く仕上げる。又は  箍状のリングをはめ  それを覆う様に熱収縮チューブを被せ加熱固定する。
【考案の効果】
【０００６】  本考案の節は竹矢の製作工程の最後  スパインや重心を調節するチューニングの時に節加工も可能で  使用者に最適の竹矢を作ることが可能である。
【考案を実施するための最良の形態】
【０００７】  図１の▲１▼の通り  各品種（太さ、長さ、剛さ）毎に羽中節のみ施された矢竹を作る。
次に  ▲２▼の通り  筈・筈巻・矢羽・末矧・本矧を加工して人造竹矢半製品を作り貯める。
次に  ▲３▼の通り  使用者に合わせ  残る三節の位置を決め節加工し  板付加工する。
【実施例１】
【０００８】  図２の▲１▼の通り  二液型硬化性エポキシパテで竹節の様な断面の箍をつくる。
次に  ▲２▼の通り  竹矢様の色彩とした表面硬度の高い補強用塗装を施す。
【実施例２】
【０００９】  図３の▲１▼の通り  竹節の様な断面をしたプラスチックワッシャーをはめる。
次に  ▲２▼の通り  竹矢様の色彩とした表面硬度の高い熱収縮チューブで固定補強する。
【産業上の利用可能性】
【００１０】  天然の竹材を模した屋内外材は種々応用されているが、節を任意の位置へ施す事は困難であった。当考案によれば容易に施す事ができる。
【図面の簡単な説明】
【００１１】
【図１】人造竹矢の請求項１と２に関わる作成工程を示す図である。
【図２】人造竹矢の請求項１に関わる作成工程を示す図である。
【図３】人造竹矢の請求項２に関わる作成工程を示す図である。
【符号の説明】
【００１２】    １  人造矢竹の素材
２  二液型硬化性エポキシパテ
３  補強用塗装
４  プラスチックワッシャー
５  熱収縮チューブ
【図１】
0003121466.tif 000003
【図２】
0003121466.tif 000004
【図３】
0003121466.tif 000005
(57)【要約】【課題】  必要な長さのチェーンを係止具に引っ掛けることにより、長さ調整が可能であると共に、中間のたるみをなくし、カラーコーンのピッチを自由に設定できるため、催し物会場や駐車場等、色々な用途に使用ができるカラーコーン用チェーンリングを提供する。【解決手段】  チェーンの両端に、カラーコーンに取り付けるリング状のリング本体を設けると共に、該リング本体に、余分なチェーンを係止する係止具を形成してなることを特徴とするカラーコーン用チェーンリング。【選択図】図１
0003121468.tif 000002
【実用新案登録請求の範囲】
【請求項１】
チェーンの両端に、カラーコーンに取り付けるリング状のリング本体を設けると共に、該リング本体に、余分なチェーンを係止する係止具を形成してなることを特徴とするカラーコーン用チェーンリング。
【請求項２】
リング本体が、リング部と支持部とにより構成され、該支持部にフック片による係止具を設けてなることを特徴とする請求項１記載のカラーコーン用チェーンリング。
【考案の詳細な説明】
【技術分野】
【０００１】  本考案は、工事区分等の境界を示す時等に使用するカラーコーン用チェーンリングに関するものである。
【背景技術】
【０００２】  従来の技術として、カラーコーンにかける為の吊輪の両サイドにチェーン及びロープを取り付ける為の筒部を設けて一連のバーとして使用できるロープ、チェーン用吊輪がある。（特許文献１参照）【０００３】  また、他の従来技術として、伸縮蛇腹機構を有する蛇腹形状形成にしたバーをリング形状とリング形状固着し、またリング形状のソーラー発電機板と豆電球機配線をバーの内部に装着装備し、自由自在に変形もさせられるため、作業面積や運搬保管時の際に有効実用性を備えて、伸縮自由自在機能を提供され、また、玩具用に小型模型に形成され、安全かつ実用性に優れたコーンバー伸縮蛇腹機能型がある。（特許文献２参照）
【特許文献１】  登録実用新案第３０４０１４９号公報
【特許文献２】  登録実用新案第３０８４４８１号公報
【考案の開示】
【考案が解決しようとする課題】
【０００４】  上記前者の技術は、カラーコーンのピッチが短くなった場合、チェーンがたるんでしまいバリケード等の用をなさない場合がある。【０００５】  また、上記後者の技術においても、伸縮蛇腹機能型のため、カラーコーン同士を引っ張ってしまい倒れてしまう恐れがある。【０００６】  本考案は、上記の問題点に鑑みなされたもので、その目的は、必要な長さのチェーンを係止具に引っ掛けることにより、長さ調整が可能であると共に、中間のたるみをなくし、カラーコーンのピッチを自由に設定できるため、催し物会場や駐車場等、色々な用途に使用ができるものである。
【課題を解決するための手段】
【０００７】  本考案は、上記目的を達成するため、チェーンの両端に、カラーコーンに取り付けるリング状のリング本体を設けると共に、該リング本体に、余分なチェーンを係止する係止具を形成してなる。
また、リング本体が、リング部と支持部とにより構成され、該支持部にフック片による係止具を設けてなることを特徴とする。
【考案の効果】
【０００８】１）、リング本体に、余分なチェーンを係止する係止具を設けることにより、簡単・容易にチェーンの長さを調整できる。
２）、支持部にフック片による係止具を設けることにより、調整したチェーンが邪魔にならず、施工できる。
３）、チェーンの長さ調整を２重にも３重にもリング状に形成してできるため、カラーコーンのピッチを自由に設定でき、催し物会場や駐車場、工事現場等、多目的に使用できる。
【考案の実施するための最良の形態】
【０００９】  カラーコーン用チェーンリング１は、チェーン２の両端に、カラーコーンの上方から着脱自在に取り付けるべく、リング部３ａと支持部３ｂとからなるリング本体３を設けてあり、該支持部３ｂに余分なチェーン２ａを係止するフック片による係止具４を設けてなるものである。
【００１０】  上記カラーコーン用チェーンリング１の使用例について、下記に述べる。
例えば、催し物会場や駐車場、工事現場等の柵や通路として使用するもので、所要のピッチに立設したカラーコーンＫ・Ｋ１・Ｋ２に対して、カラーコーン用チェーンリング１のリング部３ａを上方より挿入して取り付け、余分なチェーン２ｂをフック片による係止具４に係止し、チェーン２の長さを調整できるものである。
【００１１】  上記実施例におけるカラーコーン用チェーンリングの材質は特に限定するものではないが、合成樹脂製等が望ましい。
また、リング部３ａの大きさはカラーコーンの大きさに合わせるものとする。
さらに、チェーンの長さも、必要に応じて設定すればよい。
【図面の簡単な説明】
【００１２】
【図１】  本考案の一実施例を示すカラーコーン用チェーンリングの要部の斜視図。
【図２】  本考案の一実施例を示すカラーコーン用チェーンリングの係止具に余分なチェーンを取り付けた斜視図。
【図３】  本考案の一実施例を示すカラーコーン用チェーンリングの使用状態の斜視図。
【符号の説明】
【００１３】  １−−−カラーコーン用チェーンリング
２−−−チェーン
２ａ−−余分なチェーン
３−−−リング本体
３ａ−−リング部
３ｂ−−支持部
４−−−係止具
Ｋ−−−カラーコーン
【図１】
0003121468.tif 000003
【図２】
0003121468.tif 000004
【図３】
0003121468.tif 000005
(57)【要約】【課題】  本考案は、ゲート板と衝突による通行者の危険を回避し、故意の変形による通りぬけを阻止し通行管理の万全と、ゲート板の故障を低減する自動改札装置を提供することを課題とする。【解決手段】  自動改札装置において、遮断時に進入路の左右から閉じられ、且つ進入路の前後で少なくとも一部分が重なり合う位置に左右ゲート板を設けたことを特徴とするものである。【選択図】図１
0003121461.tif 000002
【実用新案登録請求の範囲】
【請求項１】
進入路を形成し、遮断と開放を可能とするゲート板を設けた自動改札装置であって、遮断時に進入路の左右から閉じられ、且つ進入路の前後で少なくとも一部分が重なり合う位置に左右ゲート板を設けたことを特徴とする自動改札装置。
【考案の詳細な説明】
【技術分野】
【０００１】  本考案は、利用する磁気カードや非接触カード等のカードリーダを備え、通行時のカード照合により進入路の開放と遮断をゲート板の開閉で制御する自動改札装置に関する。
【背景技術】
【０００２】  従来、自動改札装置は通行者の所持する磁気カードや非接触カードの改札媒体を自動改札装置の所定位置に設けられたカードリーダに提示してカード照合を行い、読み取ったカード情報から通行可否を判断して開閉可能なゲート板を自動制御する。通常、自動改札装置のゲート板は常時閉じられ通行を遮断し、カード照合の結果から適正カードの場合はゲート板を開き通行を許可する。また、不適正なカードではゲート板の閉じた状態を維持して通行を許可しない。自動改札装置の前記ゲート板は自動改札装置によって形成された進入路の左右から対称に直線状に、中央部に向かって回転やスライド方式により閉じられ進入路を遮断する方法が一般的である。以上の構成による自動改札装置は下記特許文献の発明「自動改札装置」に記載されている。
【特許文献１】  特開平１１−１９１１６５号公報    図１
【０００３】  前記、進入路の左右から対称に直線状に中央部に向かって閉じられたゲート板は、通行者が故意あるいは不適正カードで進入路を強制的に通行する目的で衝突した場合などに、衝突者の危険を回避するため金属板の表面をゴムや柔軟性のプラスチックで覆った弾性のある構造から成り、衝突の際の衝撃を吸収する構造である。【０００４】  しかしながら、前記構造のゲート板は欠点として弾性構造と左右から直線状に配置のため故意に通りぬける間隔まで広げて通行が容易であり、よって通行管理に支障をきたし、また故障の一因ともなる。
【考案の開示】
【考案が解決しようとする課題】
【０００５】  本考案は、通行者がゲート板と衝突による危険を回避し、且つゲート板の故意の変形に対し強固な抵抗力で通りぬけの変形を阻止し通行管理の万全と、ゲート板の故障を低減する自動改札装置を提供することを課題とする。
【課題を解決するための手段】
【０００６】  前記、課題を解決するために、請求項１に記載の本考案による自動改札装置は進入路を形成し、遮断と開放を可能とするゲート板を設けた自動改札装置であって、遮断時に進入路の左右から閉じられ、且つ進入路の前後で少なくとも一部分が重なり合う位置に左右ゲート板を設けたことを特徴とするものである。
【考案の効果】
【０００７】  本考案は、次のような効果が得られる。本考案によれば自動改札装置の進入路を遮断するゲート板は、金属板にゴムや柔軟性のあるプラスチックで覆った弾力性のある材料で作られているため通行者の衝突による障害などの危険を回避し、進入路の左右から中央に向かって、且つ前後に少なくとも一部分が重なり合う位置にゲート板を閉じるため、故意の衝突による変形を重なり合う部分で抵抗力を増し強固になることで変形による通りぬけを困難にすることで、安全と通行管理を万全にする効果を得られる。
【考案を実施するための最良の形態】
【０００８】  以下、本考案に係わる自動改札装置の実施の形態について、図面を参照して説明をする。本考案の自動改札装置１は所定幅の進入路４を左装置壁２および右装置壁３で形成し、進入側に通行者の利用カードを提示して読み取るリーダ部５を設け、提示カードの情報が適正の場合、常時閉じている左ゲート板６および右ゲート板７は左右装置壁２，３に支えられた回転軸８を中心に開放され、図２に示す左右装置壁２，３の進入路に平行な位置に収められる。左右ゲート板６、７の内部はバネ鋼板などの金属板９を所定の形状に形成し、その表面をゴムまたは柔軟性に富んだプラスチックのカバー１０で覆い弾性と柔軟性を保つ構造とし、通行者の衝突による危険を防止し安全性を確保する。【０００９】  前記構造の左右ゲート板６、７は遮断時には進入路４を形成する左右装置壁２、３から中央部に向かって閉じられ、且つ進入路４の前後で少なくとも一部分が重なり合う位置に配置されている。以上の構成から成る本考案の自動改札装置１の遮断された左右のゲート６、７を故意に開放しようとする場合、進入側の右ゲート板７が強制的に押され次いで左ゲート板６と接触する。接触した左右のゲート板６、７は開放しようとする力に対し相互の強度が加わり抵抗力を増して強固となり変形による通りぬけを困難にする。以上の構成による自動改札装置は故意または不適正カードの通行者を左右のゲート板６、７を本考案の配置にすることで強固にして通過させることなく的確な通行管理を確保し、また左右ゲート板６、７の故障を低減するものである。
【図面の簡単な説明】
【００１０】
【図１】    本考案の自動改札装置の左右ゲート板を閉じた状態を示す斜視図である。
【図２】    本考案の左右ゲート板を開き進入路を開放した状態を示す斜視図である。
【図３】    本考案の左右ゲート板を閉じた状態の自動改札装置の正面図である。
【図４】    図３に示すＡ−Ａ′矢視図である。
【図５】    本考案の左右ゲート板を閉じた状態の自動改札装置の平面図である。
【図６】    故意に押された本考案の左右ゲート板が接触した状態を示す平面図である。
【符号の説明】
【００１１】１    自動改札装置
２    左装置壁
３    右装置壁
４    進入路
５    リーダ部
６    左ゲート板
７    右ゲート板
８    支点軸
９    金属板
１０  カバー
【図１】
0003121461.tif 000003
【図２】
0003121461.tif 000004
【図３】
0003121461.tif 000005
【図４】
0003121461.tif 000006
【図５】
0003121461.tif 000007
【図６】
0003121461.tif 000008
(57)【要約】【課題】  枝打ち作業が出来た状態とは切断された枝の部位が幹の表面から出ないことが必須条件でありそのような作業が出来る若者が山林のある地域に不在となっている。【解決手段】  高齢者、女性でも地上で容易に枝打ち作業が確実に出来るように考案した。それは、電動鋸２を棹３の先端に取り付けその電動鋸２の下部にガイド５をつけた電動鋸棹３とそのガイド５を通る２本の鋼線４の先端は鋼線調節棹１１に固定され、他端は互いに幹に巻き先端を引っ掛けて輪にして固定する、次に鋼線調節棹１１を突き上げると環は大きくなり電動鋸２を容易に切断する枝ロの位置に移動出来、更に鋼線調節棹１１を引張ると鋼線４は木の幹イを枹き抱えるように電動鋸棹３を固定して切断する構成である。【選択図】図３
0003121809.tif 000002
【実用新案登録請求の範囲】
【請求項１】
電動鋸を棹の先端に取り付けその棹の電動鋸の下にガイドをつけた電動鋸棹と、２本の鋼線を棹の先端に取り付けガイドに通した鋼線調節棹とから成り、そのガイドを通る２本の鋼線の一端は鋼線調節棹に固定され、他端は互いに木の幹を捲いて接続できる構成にしたことを特徴とした枝打機。
【考案の詳細な説明】
【技術分野】
【０００１】  本考案は女性、高齢者でも使用出来、然も枝の付け根を正確に切断する枝打機である。
【背景技術】
【０００２】  枝打機として長い棹の先端に電動鋸を設けた構成は特開平９−９４０２８号、特開平１１−７５５４３号等にあるように周知の事実である。【０００３】  ただ、このような長い棹の先端に電動鋸を設けただけの構成では安定して枝の付け根を切断することは出来ない。【０００４】  これを改良した構成として例えば実開平２−１３４８３９号があるがこれは切断機の重量を支える為の安定盤を付けた考案である。
【考案が解決しようとする課題】
【０００５】  然し、上記の公報に記載されている構成では、地上で高齢者、女性が電動鋸を利用して枝の付け根を切断する時、切断始動時に鋸の刃が引っ掛かり鋸の刃が、はね返り、ぶれが発生して枝の付け根を幹の表面から出ないように切断することは困難であった。
【課題を解決する手段】
【０００６】  このような課題を解決するために、本考案は電動鋸を棹の先端に取り付けその棹の電動鋸の下にガイドをつけた電動鋸棹と、２本の鋼線を棹の先端に取り付けガイドに通した鋼線調節棹とから成り、そのガイドを通る２本の鋼線の一端は鋼線調節棹に固定され、他端は互いに木の幹を捲いて接続できる構成にしたことを特徴とした枝打機を考えた。
【０００７】  このような構成により、ガイドを通る２本の鋼線を幹に巻きつけてから鋼線調節棹を突き上げると幹に巻いた鋼線は大きな環となり電動鋸を切断する枝の処に容易に移動することが出来、逆に引張ると電動鋸棹を幹に固定出来るので切断始動時に発生するはね返り、ぶれを完全に防止し、思う枝の位置を正確に切断出来る。
【考案の効果】
【０００８】  二本の鋼線で木の幹に電動鋸棹を確実に固定できるので高齢者、女性でも切断位置をはね返り、ぶれを生じることなく、思う位置を確実に切断することが出来る。
【考案を実施するための最良の形態】
【０００９】  本考案の枝打機を図１〜図３によって説明すると、電動鋸２を棹３の先端に取り付けその電動鋸２の下部にガイド５をつけた電動鋸棹３とそのガイド５を通る２本の鋼線４の先端は鋼線調節棹１１に固定され、他端は互いに幹に巻き先端を引っ掛けて輪にして固定する、次に鋼線調節棹１１を突き上げると環は大きくなり電動鋸２を容易に切断する枝ロの位置に移動出来、更に鋼線調節棹１１を引張ると鋼線４は木の幹イを抱き抱えるように電動鋸棹３を固定して切断する構成である。【００１０】  次に実施法を具体的に説明する、当日の作業量を予測して発電機９と電線捲器１０を置く、次に電動鋸棹３と鋼線調節棹１１を切断する枝の下に運び、鋼線調節棹１１の２本の鋼線４を木の幹イに巻き、その先端４’を引っ掛けて固定さす、次は鋼線調節棹１１を突き上げると鋼線４は大きな環になるのでマジックテープ１２を緩く巻きつけ電動鋸棹３と鋼線調節棹１１をもって切断する枝ロの位置に移動し電動鋸刃１を切断する枝の位置に定め鋼線調節棹１１を引張ると鋼線は幹をしっかり抱き抱えた状態に成りスイッチ７を押すと鋸刃１は、はね返り、ぶれ等を生じることなく決めた部位を正確に切断出来る。
【図面の簡単な説明】
【００１１】
【図１】本考案の作業時の全体図。
【図２】ガイドの断面図と鋼線の関係を示した図。
【図３】ガイドを通る鋼線と鋼線調節棹と電動鋸棹の断面図。
【符号の説明】
【００１２】１．電動鋸の刃
２．電動鋸
３．電動鋸棹
４．鋼線
４’．鋼線のフック
５．ガイド
５’．ガイドの鋼線出口
６．電線
７．スイッチ
８．鏡
９．発電機
１０．電線捲器
１１．鋼線調節棹
１２．電動鋸棹と鋼線調節棹を固定するマジックテープ
Ａ．鋼線調節棹の鋼線取付け位置
イ．木の幹
ロ．木の枝
【図１】
0003121809.tif 000003
【図２】
0003121809.tif 000004
【図３】
0003121809.tif 000005
(57)【要約】【目的】本考案は地方の仏教的風習に於てお盆の際などにお墓に設置する提灯飾りにおて、旧来の木製素材などでの手作的提灯飾りを軽量で設置や操作や撤去が容易で耐久性に富む製品として標準化したスライド式提灯飾りに関するものである。【構成】外支柱１に挿入する内支柱２からなる伸縮式支柱の内支柱に折畳中折れ式の提灯掛横桟４の両端を固定する横桟取付部３を複数有し、折畳中折れ式の提灯掛横桟４を組み合せる構成を特徴とした軽量アルミ素材の基本構成である。【選択図】図１
0003121802.tif 000002
【実用新案登録請求の範囲】
【請求項１】
複数の提灯吊り具５を下側に有した折畳式の提灯掛横桟４の両側に上下伸縮式の支柱を組み合せた軽量アルミ素材のスライド式提灯飾り。
【請求項２】
外支柱１と内支柱２からなる上下伸縮式支柱の内支柱２に折畳式の提灯掛横桟４の両端を固定する横桟取付部３を有し、折畳式の提灯掛横桟４を組み合せる構成を特徴とした軽量アルミ素材のスライド式提灯飾り。
【考案の詳細な説明】
【技術分野】
【０００１】  本考案は地方の仏教的風習に於てお盆の際などにお墓に設置する提灯飾りにおいて、旧来の木製素材などでの手作的提灯飾りを軽量で設置や操作や撤去が容易で耐久性に富む製品として標準化したスライド式提灯飾りに関するものである。【０００２】  風習的一例としてインターネット上にも長崎での提灯の墓飾りについて次のように掲載されています。
（イ）ご先祖さまは毎年８月１３日（初盆は１２日）から自分の墓に帰ってくるといわれ、先祖の霊が迷わないように「迎え提灯」を立ててお迎えします。その間（概ね夜ですが）家族は墓へ行き、墓守をしながら宴を開いたり花火をするなどして賑やかにご先祖様を迎えます。
（ロ）長崎の墓には提灯飾りをするために、両端の支柱の下にはその名の通り「提灯立て」の穴が設置してあり、提灯飾りは１段から３段程度で目隠しにならないように石塔の前を空けます。
【背景技術】
【０００３】  従来、お墓に設置する提灯飾りは、風習的に引き継がれた旧来の技術や技法と素材で手作りされていたため作業性や効率性や合理性などを考慮した技術背景ではなかったし、地方に於て現在のような過疎化や高齢化が進行することが予想されなかった。
【考案の開示】
【考案が解決しようとする課題】
【０００４】  従来の提灯飾りは木製や竹製などで支柱や提灯掛横桟は各々一体型であったため次のような問題があった。
（イ）初盆の際の提灯飾りは提灯掛桟を複数段セットした高層構造物となり、その設置や操作や撤去作業には滑車等の使用を余儀なくされた場合もあり重労働であり安全性などにも問題があった。
（ロ）風習的に提灯飾りの構造は初盆から年数を経過すると低層化、簡素化されていくが従来の提灯掛桟や支柱の一体型においては再製作や改造を余儀なくされ費用や手間がかかるなどの問題もあった。
（ハ）提灯飾りは木製や竹製などであり重量的に重く耐久性にも問題があったし、特に生木を使用した場合には深刻であった。
（ニ）特に地方の田舎に於ては過疎化や高齢化が進んでおり、これらの問題がより顕著であり深刻であった。
【課題を解決するための手段】
【０００５】  いまその課題を解決するための構成を説明すれば、
請求項１については複数の釣針状の提灯吊り具５を下側に有し、ほぼ中央位置に下折れヒンジを有した折畳中折れ式の提灯掛横桟４の両側に伸縮式の支柱を組み合せた軽量アルミ素材の基本構成である。【０００６】  請求項２については外支柱１に挿入しスライドする内支柱２からなる伸縮式支柱の内支柱２に折畳中折れ式の提灯掛横桟４の両端を嵌め込み固定する横桟取付部３を複数有し、折畳中折れ式の提灯掛横桟４を組み合せる構成を特徴とした軽量アルミ素材の基本構成である。
【考案の効果】
【０００７】  本考案の効果は過疎化や高齢化が深刻な地方の田舎に於て顕著であり、その具体効果を列記します。
（イ）スライド式提灯飾りにより必要に応じた提灯掛横桟４の段数調整やスライド式支柱の高さ調整が容易で初盆時から永続的に使用できます。
（ロ）支柱はスライド式、提灯掛横桟４は中折れ式でコンパクトになり運搬や格納も容易です。
（ハ）材料素材がアルミであるため軽量で耐久性にも優れています。【０００８】  本考案により提灯飾りの設置や撤去や操作が容易となり、作業性や安全性が向上します、特に信仰心が強く風習を守ろうとする地方の田舎において明るく楽しく心の通った社会づくりに大きく貢献するものであります。
【考案を実施するための最良の形態】
【実施例】
【０００９】  具体実施例を述べれば、
（イ）外支柱１の下端を墓地の両側に設けた提灯立て穴に差し込み固定する構成である。
（ロ）外支柱１に差し込みスライドする内支柱２に填め込み式の横桟取付部３を高さ方向のほぼ等間隔に３個有する。
（ハ）最上の横桟取付部３は内支柱２の頭部に被せて装着できる構成とする。
（ニ）下側に提灯７を掛る釣針状の提灯吊り具５を複数有し、ほぼ中央位置のヒンジにより折畳ができる構成の提灯掛横桟４の両端をスライド式支柱の横桟取付部３に差し込んで固定する構成とする。
（ホ）外支柱１と内支柱２からなるスライド式支柱は上下調整機構やストッパー等による固定機構を有する。
（ヘ）横桟取付部３には提灯掛横桟４の固定機構を有する。
（ト）両側の外支柱１間を補強桟６にて連結固定する。
（チ）一般的に初盆の時は提灯掛横桟４は２段から３段とし、年数が経過すると下降させて１段に調整する。
【図面の簡単な説明】
【図１】本考案の一例を示す提灯掛横桟３が３段状況の正面図
【図２】本考案の一例を示す提灯掛横桟３を１段に調整した状況の正面図
【図３】本考案の一例を示す提灯掛横桟３を中折れした状況の正面図
【符号の説明】
１は外支柱
２は内支柱
３は横桟取付部
４は提灯掛横桟
５は提灯吊り具
６は補強桟
７は提灯
【図１】
0003121802.tif 000003
【図２】
0003121802.tif 000004
【図３】
0003121802.tif 000005
【手続補正書】
【提出日】平成18年2月20日(2006.2.20)
【手続補正１】
【補正対象書類名】実用新案登録請求の範囲
【補正対象項目名】全文
【補正方法】変更
【補正の内容】
【実用新案登録請求の範囲】
【請求項１】
複数の釣針状の提灯吊り具５を下側に有し、ほぼ中央位置に下折れヒンジを有した折畳中折れ式の提灯掛横桟４の両側に上下伸縮式の支柱を組み合せた軽量アルミ素材のスライド式提灯飾り。
【請求項２】
上下伸縮式支柱は外支柱１と内支柱２からなり、内支柱２に折畳式の提灯掛横桟４の両端を固定する横桟取付部３を有し、折畳式の提灯掛横桟４を組み合せる構成を特徴とした請求項１記載のスライド式提灯飾り。